(57)【要約】【課題】無線通信装置において、受信した文字情報をより効果的に利用することができるようにする。【解決手段】他の無線通信装置から受信した文字情報を記憶する記憶手段と、記憶手段により記憶されている各無線通信装置からの文字情報を表示する表示手段とを備えた無線通信装置において、表示手段により文字情報として表示される各無線通信装置からのコールサイン情報又は所定のテキスト情報のうち、それに基づいて取得されるＵＲＬ又はメールアドレスに基づいてホームページの表示又はメールの送信を行うことを希望するものの選択を受け入れる選択手段と、選択手段により選択された無線通信装置からのコールサイン情報又はテキスト情報を所定の外部の情報処理装置に転送する転送手段（ステップＳ２、Ｓ４）とを設ける。【選択図】図４
2008158807.tif 000002
【特許請求の範囲】
【請求項１】
他の無線通信装置から受信した文字情報を記憶する記憶手段と、
前記記憶手段により記憶されている各無線通信装置からの文字情報を表示する表示手段と、
前記表示手段により文字情報として表示される各無線通信装置からのコールサイン情報又は所定のテキスト情報のうち、それに基づいて取得されるＵＲＬ又はメールアドレスに基づいてホームページの表示又はメールの送信を行うことを希望するものの選択を受け入れる選択手段と、
前記選択手段により選択された無線通信装置からのコールサイン情報又はテキスト情報を所定の外部の情報処理装置に転送する転送手段とを具備することを特徴とする無線通信装置。
【請求項２】
前記転送手段により転送されるコールサイン情報には、それがコールサイン情報であることを示す識別情報が付加されることを特徴とする請求項１に記載の装置。
【請求項３】
請求項１の装置から転送されるコールサイン情報又は所定のテキスト情報を受信する受信手段と、
前記受信手段により受信したコールサイン又はテキスト情報に基づき、ＵＲＬ又はメールアドレスを取得する取得手段と、
前記取得手段により取得したＵＲＬ又はメールアドレスに基づき、対応するホームページ又はメール作成画面を表示する表示手段とを具備することを特徴とする情報処理装置。
【請求項４】
前記取得手段は、前記受信手段により受信したテキスト情報がＵＲＬ又はメールアドレスを示す文字列であるかどうかを判定し、判定結果に応じ、その文字列をＵＲＬ又はメールアドレスとして取得するものであることを特徴とする請求項３に記載の情報処理装置。
【請求項５】
前記受信手段により受信されるコールサイン情報に基づいてホームページの表示を行うか又はメールの送信を行うかの設定を受け入れるとともに、ホームページの表示を行う設定を受け入れる場合にあってはそのコールサインと連結して表示すべきホームページのＵＲＬを構成する文字列の設定を、メールの送信を行う設定を受け入れる場合にあってはそのコールサインと連結して送信すべき宛先のメールアドレスを構成する文字列の設定をさらに受け入れる設定手段を備え、
前記取得手段は、前記設定手段による設定内容に応じ、前記ＵＲＬ又はメールアドレスの取得を行うものであることを特徴とする請求項３又は４に記載の情報処理装置。
【請求項６】
前記表示手段は、前記ホームページ又はメール作成画面の表示を行う前に、対応するＵＲＬ又はメールアドレスの表示を伴う確認画面を介し、その表示を行うことが承認された場合に限り、その表示を行うものであることを特徴とする請求項３〜５のいずれか１項に記載の情報処理装置。
【請求項７】
請求項１〜６のいずれかの装置における各手段としてコンピュータを機能させることを特徴とするプログラム。
【請求項８】
無線通信装置における工程として、
記憶手段が、他の無線通信装置から受信した文字情報を記憶する記憶工程と、
表示手段が、前記記憶手段により記憶されている各無線通信装置から受信した文字情報を表示する表示工程と、
選択手段が、前記表示手段により文字情報として表示される各無線通信装置からのコールサイン情報又は所定のテキスト情報のうち、それに基づいて取得されるＵＲＬ又はメールアドレスに基づいてホームページの表示又はメールの送信を行うことを希望するものの選択を受け入れる選択工程と、
転送手段が、前記選択手段により選択された無線通信装置からのコールサイン情報又はテキスト情報を所定の外部の情報処理装置に転送する転送工程とを具備し、
該情報処理装置における工程として、
受信手段が、無線通信装置から転送されるコールサイン情報又はテキスト情報を受信する受信工程と、
取得手段が、前記受信手段により受信したコールサイン情報又はテキスト情報に基づいてＵＲＬ又はメールアドレスを取得する取得工程と、
表示手段が、前記取得手段により取得したＵＲＬ又はメールアドレスに基づき、対応するホームページ又はメール作成画面を表示する表示工程とを具備することを特徴とする受信情報の活用方法。
【発明の詳細な説明】
【技術分野】
【０００１】
他の無線通信装置から受信した文字情報を表示する機能を有する無線通信装置、この装置から転送されるコールサイン情報又は所定のテキスト情報に基づいて所定の処理を行う情報処理装置、これらの装置における各手段としてコンピュータを機能させるプログラム、及びこれらの装置用いて行うことができる受信情報の活用方法に関する。
【背景技術】
【０００２】
従来、固定局や移動局が、衛星通信等を含む無線通信やインターネットを介して位置座標付情報の交換を行うＡＰＲＳ（Ａｕｔｏｍａｔｉｃ  Ｐｏｓｉｔｉｏｎ  Ｒｅｐｏｒｔｉｎｇ  Ｓｙｓｔｅｍ；位置自動報知システム）が知られている。このシステムにおいては、世界中の移動局や固定局（以下、「ＡＰＲＳ局」という。）から発信された情報が、デジピータと呼ばれる無線中継局を経由し、さらにインターネットを介して米国のＡＰＲＳ−ＩＳサーバ（ＡＰＲＳインターネット・サービス・サーバ）に蓄積される。世界各地のＡＰＲＳ局は、蓄積された情報をインターネットやデジピータを介して取得することができる。
【０００３】
従来、ＡＰＲＳ対応の無線機においては、ＡＰＲＳ形式のパケット（以下、「ＡＰＲＳパケット」という。）であって位置データを含むものを受信したとき、そのときに割込み表示されるコールサインに一致するコールサインをステーションリスト画面において選択し、詳細キーを押下することにより、詳細画面を表示させ、受信パケットに含まれていた位置データやステータステキスト等の情報を確認することができるようになっている。ステータステキストは、サブバンド（データバンドではない）の周波数や、ホームページのアドレス、電子メールのアドレス等のちょっとした情報を送るために使用されるものである。
【０００４】
ステータステキストとして送られてきたホームページや電子メールのアドレス情報を用いてホームページを見たり、電子メールを送ったりするには、無線機におけるステータステキストの表示を見ながら、パソコンにおいてホームページや電子メールのアドレスを手動入力することにより、ホームページの起動や電子メールの送信を行うようにしている。また、無線機では位置データとして緯度及び経度が表示されるのみであり、地図が表示されず、位置のイメージを把握し難い。そこで、ステータステキストとして、ＡＰＲＳと連動した位置情報を確認することができるホームページのアドレスを設定することも考えられる。これ以外の位置の確認方法としては、表示される緯度・経度に該当する位置を地図上で確認する方法や、地図ソフトを用い、緯度・経度を入力してその位置を表示させて確認する方法や、無線機にＧＰＳを接続し、ウエイポイント情報として表示させる方法がある。
【０００５】
図１０は、従来の無線機におけるパケット受信時の処理を示すフローチャートである。無線機は、パケットを受信すると、これをトリガとして同図の処理を開始する。すなわちまずステップＳ１において、受信パケットがＡＰＲＳパケットであるか否かを判定する。ＡＰＲＳパケットではないと判定した場合には、受信パケットを破棄し、図１０の処理を終了する。ＡＰＲＳパケットであると判定した場合には、ステップＳ２〜Ｓ７において、受信パケットがマイクエンコーダ形式、ポジションデータ形式、メッセージ形式、ブリティン形式、又はその他の形式のうちのいずれの形式のパケットであるかを、受信パケットに含まれるＤＴＩ（Ｄａｔａ  Ｔｙｐｅ  Ｉｄｅｎｔｉｆｉｅｒ）に基づいて判定する。ＤＴＩはＡＰＲＳパケットにおけるデータ種別を示す１バイトのデータである。
【０００６】
これらのデータ形式のパケットのうち、ステータステキストを含むのは、マイクエンコーダ形式及びポジションデータ形式のものである。マイクエンコーダ形式のパケットはＤＴＩが「’」であり、ポジションデータ形式のものはＤＴＩが「！」、「＃」、「＠」、又は「／」となっている。受信パケットがマイクエンコーダ形式又はポジションデータ形式のデータであると判定した場合には（ステップＳ３及びＳ４）、ステップＳ８において、そのデータが新規のデータであるか否かの判定を行う。新規のデータであると判定した場合には、ステップＳ９において、そのデータについての割込み表示を行い、ステップＳ１１へ進む。
【０００７】
ステップＳ８において新規のデータではないと判定した場合、すなわちそのデータが既にステーションリストにおいて登録済みの無線局と同一の無線局からの同一内容のデータである場合には、その旨を示す重複コールサイン表示（ｄＰ  Ｃａｌｌｓｉｇｎ表示）を行い、ステップＳ１１へ進む。重複コールサイン表示としては、たとえば、「ｄＰ」の表示に、その重複データを送信した無線局のコールサインの表示を加えたものが該当する。ステップＳ１１では、受信パケットに基づき、ステーションリストの更新を行う。すなわち、受信パケットが新たな無線局からのデータであれば、受信パケットから得られるその無線局に関する所定の情報を含むレコードを追加する。既に登録済みの無線局からのデータであれば、その無線局のレコードを更新する。
【０００８】
一方、受信パケットが他の形式のデータであると判定した場合には（ステップＳ５〜Ｓ７）、それぞれのデータ形式に応じた処理を行う。たとえば、メッセージ形式のデータであると判定した場合には（ステップＳ５）、新規データであれば割込み表示を行い、メッセージリストに登録する(ステップＳ１２〜Ｓ１４)。新規データでなければ重複コールサイン表示を行う（ステップＳ１５）。そして、自局宛メッセージである場合には受信した旨の通知を送信局に返信し（ステップＳ１６及びＳ１７）、図７の処理を終了する。受信パケットがブリティン形式のデータであると判定した場合には（ステップＳ６）、新規データであれば割込み表示を行ってからメッセージリストに登録し(ステップＳ１８〜Ｓ２０)、図７の処理を終了する。
【０００９】
ステップＳ１１で更新されるステーションリストの内容は、ステーションリスト画面を経て詳細画面を表示させることにより確認することができる。すなわち、受信した位置データを確認するにはまず、リストキーを押下してステーションリスト画面を表示させる。次に、ステーションリスト画面において表示されている、位置データを受信した無線局の一覧から、位置データを確認したい無線局を選択し、詳細キーを押下して詳細画面を表示させる。
【００１０】
図１１はこの詳細画面の一例を示す。詳細画面には、選択した無線局についてのコールサイン１１１、受信時刻１１２、無線局の状況１１３、無線局の位置を示す緯度及び経度１１４、自局からの方角を示すアイコン１１５、自局からの距離１１６、グリッドスクウェア位置１１７、種類を示すアイコン１１８、ステータステキスト１１９などの情報が表示される。
【００１１】
なお、図中の１２０は詳細画面を終了してステーションリスト画面に戻るためのエスケープキー、１２１は表示中の無線局についての全情報をステーションリストから抹消するためのデルキー、１２２及び１２３は他の無線局についての情報を表示させるための上下キー、１２４は表示中の無線局に対するメッセージを送信するための画面に移行するためのメッセージキー、１２５は受信時刻１１２の表示を受信日付の表示に変更するためのデートキーである。
【００１２】
なお、ＡＰＲＳのような位置座標付情報の交換を行うシステムとしては他に、ＧＰＳやセンサからの信号に基づいて自車位置を取得し、取得した自車位置を必要な情報とともに他車に対して無線送信することが可能なナビゲーション装置を用いたシステムが知られている（たとえば特許文献１参照）。このシステムでは、他車の無線局からの受信パケットに基づいて無線通信が可能な無線局を定期的にサーチして記憶しておき、通信時には記憶してある通信可能な無線局のうちから通信相手を選択するようにしている。
【００１３】
【特許文献１】特開平１０−６２１９０号公報
【発明の開示】
【発明が解決しようとする課題】
【００１４】
しかしながら、上述従来のＡＰＲＳ対応無線機によれば、ステータステキスト１１９としてホームページのアドレスや、電子メールのアドレスが設定されていても、それらのアドレスを見ることしかできず、それらの情報に基づいてホームページを表示させることやメールソフトを起動させることはできない。また、それらの情報をパソコン等に出力して活用することもできない。ホームページを閲覧するにはパソコンでブラウザを起動させ、ステータステキスト１１９を見ながら、ホームページのアドレスをブラウザにおいて手入力する必要がある。電子メールについても同様である。
【００１５】
また、無線機には地図ソフトがインストールされていないため、ステーションリストにおけるＡＰＲＳ局の位置を確認する方法としては、緯度及び経度１１４の数値を見ることのみによって確認するか、パソコンの地図ソフトにおいて緯度及び経度１１４の数値を入力して確認するか、又は緯度及び経度１１４が示す位置を地図上で調べて確認するといった方法をとらざるを得ない。位置の確認は地図上で行いたい場合が多いが、その場合に緯度及び経度１１４を見ながら、地図やパソコンを用いて確認を行うのは煩雑であり、手間がかかる。ＡＰＲＳと連携しているホームページとして、コールサインを入力することによりその無線局の位置を地図上で表示するサービスを行っているものもあるが、その場合でも、詳細画面上のコールサイン１１１を見ながら手入力する必要があるので、同様に手間がかかる。
【００１６】
本発明の目的は、かかる従来技術の問題点に鑑み、無線通信装置において、受信した文字情報をより効果的に利用することができるようにすることにある。
【課題を解決するための手段】
【００１７】
この目的を達成するため、第１の発明に係る無線通信装置は、他の無線通信装置から受信した文字情報を記憶する記憶手段と、前記記憶手段により記憶されている各無線通信装置からの文字情報を表示する表示手段と、前記表示手段により文字情報として表示される各無線通信装置からのコールサイン情報又は所定のテキスト情報のうち、それに基づいて取得されるＵＲＬ又はメールアドレスに基づいてホームページの表示又はメールの送信を行うことを希望するものの選択を受け入れる選択手段と、前記選択手段により選択された無線通信装置からのコールサイン情報又はテキスト情報を所定の外部の情報処理装置に転送する転送手段とを具備することを特徴とする。
【００１８】
第２の発明に係る無線通信装置は、第１発明において、前記転送手段により転送されるコールサイン情報には、それがコールサイン情報であることを示す識別情報が付加されることを特徴とする。
【００１９】
第３の発明に係る情報処理装置は、第１発明に係る無線通信装置から転送されるコールサイン情報又は所定のテキスト情報を受信する受信手段と、前記受信手段により受信したコールサイン又はテキスト情報に基づき、ＵＲＬ又はメールアドレスを取得する取得手段と、前記取得手段により取得したＵＲＬ又はメールアドレスに基づき、対応するホームページ又はメール作成画面を表示する表示手段とを具備することを特徴とする。
【００２０】
ここで、無線通信装置としては、たとえばＡＰＲＳ対応のパケット無線通信機能を備えたデジタル無線機が該当する。表示手段により表示される文字情報としては、たとえば、コールサイン、緯度及び経度、及びＡＰＲＳにおけるステータステキスト等の情報が該当する。所定のテキスト情報としては、たとえば、ＡＰＲＳにおけるステータステキストが該当する。情報処理装置としては、無線通信装置に対し、シリアル通信が可能に接続されたパソコンが該当する。
【００２１】
この構成において、無線通信装置は、他の無線通信装置から受信する毎に文字情報を記憶してゆき、記憶された各無線通信装置からの文字情報を表示する。文字情報として表示される各無線通信装置からのコールサイン情報又は所定のテキスト情報のうち、それに基づいて取得されるＵＲＬ又はメールアドレスに基づいてホームページの表示又はメールの送信を行うことを希望するものの選択がなされると、選択された無線通信装置からのコールサイン情報又はテキスト情報を所定の外部の情報処理装置に転送する。
【００２２】
無線通信装置から転送されたコールサイン情報又はテキスト情報を受信すると、情報処理装置は、受信したコールサイン又はテキスト情報に基づき、ＵＲＬ又はメールアドレスを取得する。そして、取得したＵＲＬ又はメールアドレスに基づき、対応するホームページ又はメール作成画面を表示する。したがって、ユーザは、表示される各無線通信装置からのコールサイン情報又は所定のテキスト情報のうち、それに基づいてホームページの表示又はメールの送信を行うことを希望するものの選択を行うだけで、そのホームページ又はメール作成画面を表示させることができる。
【００２３】
第４の発明に係る情報処理装置は、第３発明において、前記取得手段は、前記受信手段により受信したテキスト情報がＵＲＬ又はメールアドレスを示す文字列であるかどうかを判定し、判定結果に応じ、その文字列をＵＲＬ又はメールアドレスとして取得するものであることを特徴とする。
【００２４】
第５の発明に係る情報処理装置は、第３又は第４発明において、前記受信手段により受信されるコールサイン情報に基づいてホームページの表示を行うか又はメールの送信を行うかの設定を受け入れるとともに、ホームページの表示を行う設定を受け入れる場合にあってはそのコールサインと連結して表示すべきホームページのＵＲＬを構成する文字列の設定を、メールの送信を行う設定を受け入れる場合にあってはそのコールサインと連結して送信すべき宛先のメールアドレスを構成する文字列の設定をさらに受け入れる設定手段を備え、前記取得手段は、前記設定手段による設定内容に応じ、前記ＵＲＬ又はメールアドレスの取得を行うものであることを特徴とする。
【００２５】
第６の発明に係る情報処理装置は、第３〜第５のいずれかの発明において、前記表示手段は、前記ホームページ又はメール作成画面の表示を行う前に、対応するＵＲＬ又はメールアドレスの表示を伴う確認画面を介し、その表示を行うことが承認された場合に限り、その表示を行うものであることを特徴とする。
【００２６】
第７の発明に係るプログラムは、第１〜第６のいずれかの発明に係る装置における各手段としてコンピュータを機能させることを特徴とする。
【００２７】
第８の発明に係る受信情報の活用方法は、無線通信装置における工程として、記憶手段が、他の無線通信装置から受信した文字情報を記憶する記憶工程と、表示手段が、前記記憶手段により記憶されている各無線通信装置から受信した文字情報を表示する表示工程と、選択手段が、前記表示手段により文字情報として表示される各無線通信装置からのコールサイン情報又は所定のテキスト情報のうち、それに基づいて取得されるＵＲＬ又はメールアドレスに基づいてホームページの表示又はメールの送信を行うことを希望するものの選択を受け入れる選択工程と、転送手段が、前記選択手段により選択された無線通信装置からのコールサイン情報又はテキスト情報を所定の外部の情報処理装置に転送する転送工程とを具備し、該情報処理装置における工程として、受信手段が、無線通信装置から転送されるコールサイン情報又はテキスト情報を受信する受信工程と、取得手段が、前記受信手段により受信したコールサイン情報又はテキスト情報に基づいてＵＲＬ又はメールアドレスを取得する取得工程と、表示手段が、前記取得手段により取得したＵＲＬ又はメールアドレスに基づき、対応するホームページ又はメール作成画面を表示する表示工程とを具備することを特徴とする。
【発明の効果】
【００２８】
本発明によれば、表示される各無線通信装置からのコールサイン情報又は所定のテキスト情報のうち、それに基づいてホームページの表示又はメールの送信を行うことを希望するものの選択を受け入れ、選択された無線通信装置からのコールサイン情報又はテキスト情報を所定の外部の情報処理装置に転送するようにしたため、情報処理装置は、転送されるコールサイン情報又は所定のテキスト情報に基づき、ＵＲＬ又はメールアドレスを取得し、対応するホームページ又はメール作成画面を表示することができる。したがって、ユーザは、表示される各無線通信装置からのコールサイン情報又は所定のテキスト情報のうち、それに基づいてホームページの表示又はメールの送信を行うことを希望するものの選択を行うだけで、対応するホームページ又はメール作成画面を表示させることができる。
【００２９】
また、転送されるコールサイン情報には、それがコールサイン情報であることを示す識別情報が付加されるようにしたため、情報処理装置は、転送されてきた情報がコールサイン情報であることを容易に識別することができる。
【００３０】
また、受信したテキスト情報がＵＲＬ又はメールアドレスを示す文字列であるかどうかを判定し、判定結果に応じ、その文字列をＵＲＬ又はメールアドレスとして取得するようにしたため、他の無線通信装置のユーザは、送信する文字情報におけるテキスト情報としてＵＲＬ又はメールアドレスを設定することにより、そのＵＲＬ又はメールアドレスを有効に活用して、ホームページの閲覧又はメールの送信を行ってもらうことができる。
【００３１】
また、受信されるコールサイン情報に基づいてホームページの表示を行うか又はメールの送信を行うかの設定を受け入れるとともに、ホームページの表示を行う設定を受け入れる場合にあってはそのコールサインと連結して表示すべきホームページのＵＲＬを構成する文字列の設定を、メールの送信を行う設定を受け入れる場合にあってはそのコールサインと連結して送信すべき宛先のメールアドレスを構成する文字列の設定をさらに受け入れて、設定内容に応じ、ＵＲＬ又はメールアドレスの取得を行うようにしたため、受信されるコールサイン情報を効果的に活用しながら、コールサインに関連した所定のホームページの閲覧や所定のアドレスへのメールの送信を容易に行うことができる。たとえば、ＡＰＲＳと連携しているホームページのサービスにより、当該コールサインの無線局の位置を地図上で表示してもらうことができる。
【００３２】
また、ホームページ又はメール作成画面の表示を行う前に、対応するＵＲＬ又はメールアドレスの表示を伴う確認画面を介し、その表示を行うことが承認された場合に限り、その表示を行うようにしたため、ホームページ又はメール作成画面の表示を処理を、事前に中止させることができる。
【００３３】
また、無線通信装置から所定のテキスト情報を情報処理装置に転送するようにしたため、転送されたテキスト情報を、情報処理装置において所定のターミナルソフトを用いて、見ることができる。また、転送されたテキスト情報を、情報処理装置においてテキストファイルとして保存しておくこともできる。これにより、テキスト情報をメモしておく必要なく、いつでも、テキストファイルにより、テキスト情報を参照することができる。無線通信装置においてテキスト情報を保存しておく機能がない場合に特に有効である。
【発明を実施するための最良の形態】
【００３４】
図１は、本発明の一実施形態に係るＡＰＲＳ対応無線通信装置の構成を示すブロック図である。この装置は同図に示すように、送受信機能を備えたラジオユニット１、及びラジオユニット１に接続されたパネルユニット２を備える。この装置は、音声による交信機能及びパケットによるデジタル通信機能を備え、ＡＰＲＳにも対応している。
【００３５】
ラジオユニット１は、アナログ信号及び無線信号相互間での変換を行う送受信部１１、ユニット各部を制御するマイクロコントロールユニット（以下、「マイコン」という。）１２、並びにマイコン１２に接続されたＥＥＰＲＯＭ１３を備える。送受信部１１はマイクから供給される音声信号やパネルユニット２から供給されるデジタル変調されたアナログ信号を無線波に変換してアンテナから送信するとともに、アンテナを介して受信した無線波を音声信号に変換して外部のスピーカやパネルユニット２に供給する。
【００３６】
パネルユニット２はユニット各部を制御するメインマイコン２１、ターミナルノードコントローラ（ＴＮＣ）として機能するＴＮＣマイコン２２、ＴＮＣマイコン２２及びラジオユニット１間に設けられたモデム２３、メインマイコン２１及びユーザ間のインタフェースとして機能するＬＣＤ表示部２４及び操作部２５、メインマイコン２１に接続されたＥＥＰＲＯＭ２６、並びにメインマイコン２１に対して現在時刻を供給するＲＴＣ（リアルタイムクロック）２７を備える。
【００３７】
表示部２４は２３５×６５ドットのフルドットマトリクス液晶表示装置を有する。メインマイコン２１は所定のプログラムに従い、ＡＰＲＳによりサポートされるデータ形式に従ったＡＰＲＳデータを取り扱う。操作部２５は各種操作キー、クリックエンコーダ、アナログボリューム等を備える。
【００３８】
ＴＮＣマイコン２２はメインマイコン２１や外部のデータ供給源と、モデム２３との間に位置し、パケットの構成、誤り検出、再送信の制御等を行う。モデム２３はＴＮＣマイコン２２からのデジタル信号をデジタル変調してラジオユニット１に供給するとともに、ラジオユニット１からのアナログ信号をデジタル信号に復調してＴＮＣマイコン２２に供給する。メインマイコン２１はＴＮＣマイコン２２を介してＡＰＲＳパケットの送受信を行うことができる。
【００３９】
図２は図１の無線通信装置をパソコンに接続して使用する場合の様子を示す。接続は、ＲＳ−２３２Ｃに準拠した無線通信装置１６のＣＯＭ端子及びパソコン１７のＣＯＭ端子間をＲＳ−２３２Ｃストレートケーブル１８で接続することにより行われる。
【００４０】
本実施形態においても、図１０の従来例の場合と同様にして、受信パケットに基づき、ステーションリストが作成される。ステーションリストの内容は、ステーションリスト画面において、受信した無線局の一覧を表示させ、その一覧から選択した無線局についてその詳細画面を表示させることにより確認することができるようになっている。
【００４１】
図３はこの詳細画面の一例を示す。詳細画面には、選択した無線局についてのコールサイン３１、受信時刻３２、状況３３、位置を示す緯度及び経度３４、自局からの方角を示すアイコン３５、自局からの距離３６、グリッドスクウェア位置３７、種類を示すアイコン３８、ステータステキスト３９などが表示される。図中の４０はパソコン１７へステータステキスト３９を送出するための操作キーであり、４１はパソコン１７へ特殊コマンド及びコールサイン３１を送出するための操作キーである。
【００４２】
パソコン１７は、所定のアプリケーションプログラムに従い、無線通信装置１６から送られてくる文字列を解析し、解析結果に基づき、ホームページ閲覧用のブラウザや電子メールソフトの起動を行う機能を備える。
【００４３】
図４（ａ）は図３のような詳細画面が表示されている状態において操作キー４０が押下された場合のマイコン２１による処理を示すフローチャートである。操作キー４０が押下されると、マイコン２１はステップＳ１において、ステータステキスト３９のデータとしてテキストが設定されているかどうかを判定する。テキストが設定されていると判定した場合には、ステップＳ２において、設定されているテキストで構成されている文字列を１字ずつＣＯＭ端子から出力してパソコン１７へ送信し、図４（ａ）の処理を終了する。ステップＳ１においてテキストが設定されていないと判定した場合には、そのまま図４（ａ）の処理を終了する。
【００４４】
図４（ｂ）は図３のような詳細画面が表示されている状態において操作キー４１が押下された場合のマイコン２１による処理を示すフローチャートである。操作キー４１が押下されると、マイコン２１はステップＳ３において、所定の特殊コマンドをパソコン１７へ送る。次に、ステップＳ４において、コールサイン３１をパソコン１７へ送信する。これにより、図４（ｂ）の処理を終了する。
【００４５】
図５及び図６はパソコン１７において、無線通信装置１６から特殊コマンドを受信した場合の処理方法を設定するための設定画面を示す。図中の５１は「ＵＲＬ」に付随するラジオマークであり、特殊コマンドを受信した場合の処理として、ホームページの閲覧を行う処理を選択するためのものである。５２は閲覧対象となるホームページのＵＲＬを構成する文字列を設定するためのテキストボックスである。ホームページのＵＲＬは、テキストボックス５２に設定されている文字列の後ろに、特殊コマンドに引き続いて送られてくるコールサイン３１を付加して構成される。
【００４６】
５３は「Ｍａｉｌ  Ａｄｄｒｅｓｓ」に付随するラジオマークであり、特殊コマンドを受信した場合の処理として、メールの送信を行う処理を選択するためのものである。５４はメール送信先のアドレスを構成する文字列を設定するためのテキストボックスである。送信先のメールアドレスは、テキストボックス５４に設定されている文字列の前に、特殊コマンドに引き続いて送られてくるコールサイン３１を付加して構成される。５５は入力内容を設定値として反映させ、設定画面を終了するためのＯＫボタン、５６は設定画面における入力内容をキャンセルし、設定画面を終了するためのキャンセルボタンである。
【００４７】
なお、ラジオボタン５１が選択されている場合には、テキストボックス５４はグレーアウトされる。ラジオボタン５３が選択されている場合には、テキストボックス５２はグレーアウトされる。
【００４８】
たとえば図５では、「ＵＲＬ」のラジオマーク５１が選択され、テキストボックス５２において「ｈｔｔｐ：／／ｗｗｗ．×××××．××．××／ｉｎｄｅｘ．ｈｔｍ／」が入力されている様子が示されている。図３ではコールサイン３１として「ＪＡ１ＹＫＸ−１」が表示されている。図５の入力状態が設定値として反映され、かつ図３の表示がなされている状況において操作キー４１が押下されると、無線通信装置１６は特殊コマンド及び「ＪＡ１ＹＫＸ−１」をパソコン１７に送る。これを受信すると、パソコン１７は、図７に示すような確認画面を介してユーザの確認が得られることを条件として、「ｈｔｔｐ：／／ｗｗｗ．×××××．××．××／ｉｎｄｅｘ．ｈｔｍ／ＪＡ１ＹＫＸ−１」にアクセスし、ホームページのデータをダウンロードして表示する。図７中の７１はアクセス先のＵＲＬを表示するための表示領域、７２は表示されたＵＲＬへアクセスする旨を確認したことを通知するためのＯＫボタン、７３はアクセスをキャンセルするためのキャンセルボタンである。
【００４９】
一方、図６では、「Ｍａｉｌ  Ａｄｄｒｅｓｓ」のラジオマーク５３が選択され、テキストボックス５４において「＠×××．ｃｏｍ」が入力されている様子が示されている。図６の入力状態が設定値として反映され、かつ図３の表示がなされている状況において操作キー４１が押下されると、無線通信装置１６は特殊コマンド及び「ＪＡ１ＹＫＸ−１」をパソコン１７に送る。これを受信すると、パソコン１７は、図８の確認画面を介してユーザの確認が得られることを条件として、メールソフトを起動し、宛先アドレスを「ＪＡ１ＹＫＸ−１＠×××．ｃｏｍ」に設定したメールメッセージの作成画面を表示する。図８中の８１は送信先のメールアドレスを表示するための表示領域、８２は表示されたメールアドレス宛にメールを送信する旨を確認したことを通知するためのＯＫボタン、８３は送信をキャンセルするためのキャンセルボタンである。
【００５０】
図３の詳細画面の表示中に操作キー４０が押下された場合には、無線通信装置１６は、ステータステキスト３９をパソコン１７に送信する。これを受信すると、パソコン１７は受信テキスト中に「ｈｔｔｐ：／／」が存在する場合には、図７に示すような確認画面を介してユーザの確認が得られることを条件として、ブラウザを起動し、受信テキストによるＵＲＬのホームページの表示を行う。一方、受信テキスト中に「＠」が存在する場合には、図８に示すような確認画面を介してユーザの確認が得られることを条件として、メールソフトを起動し、受信テキストによる宛先メールアドレスが設定されたメール作成画面を表示する。
【００５１】
たとえば、ステータステキスト３９が図３に例示される内容であるとすれば、操作キー４０が押下されると、無線通信装置１６は「ｈｔｔｐ：／／ｗｗｗ．ｋｅｎｗｏｏｄ．ｃｏｍ」をパソコン１７に送る。これを受信すると、パソコン１７は、受信テキスト中に「ｈｔｔｐ：／／」が存在するので、図７に例示される「ｈｔｔｐ：／／ｗｗｗ．ｋｅｎｗｏｏｄ．ｃｏｍを開きますか？」のメッセージを伴う確認画面を表示する。そしてＯＫボタン７２が押下されると、「ｈｔｔｐ：／／ｗｗｗ．ｋｅｎｗｏｏｄ．ｃｏｍ」にアクセスし、ホームページのデータをダウンロードして表示する。
【００５２】
一方、ステータステキスト３９の内容が「ＪＡ１ＹＫＸ−１＠×××．ｃｏｍ」であるとすれば、操作キー４０が押下された場合、無線通信装置１６は、「ＪＡ１ＹＫＸ−１＠×××．ｃｏｍ」をパソコン１７に送信する。これを受信すると、パソコン１７は、受信テキスト中に「＠」が存在するので、図８に例示される「ＪＡ１ＹＫＸ−１＠×××．ｃｏｍへメールしますか？」のメッセージを伴う確認画面を表示する。そしてＯＫボタン８２が押下されると、宛先の欄に「ＪＡ１ＹＫＸ−１＠×××．ｃｏｍ」が設定されたメール作成画面を表示する。
【００５３】
図９はパソコン１７における処理の詳細を示すフローチャートである。この処理は、無線通信装置１６からシリアル信号による文字列を受信したことに応答して開始される。文字列を受信すると、パソコン１７は、まず、ステップ９１において、文字列の先頭部分が特殊コマンドであるかどうかを判定する。特殊コマンドであると判定した場合は、特殊コマンドの後に続くコールサインの文字列を取得してステップ９５へ進む。文字列の先頭部分が特殊コマンドではないと判定した場合にはステップ９２へ進む。
【００５４】
ステップ９２では、受信した文字列中に「ｈｔｔｐ：／／」が存在するか否かの判定を行う。「ｈｔｔｐ：／／」が存在しないと判定した場合にはステップ９３へ進む。「ｈｔｔｐ：／／」が存在すると判定した場合には、「ｈｔｔｐ：／／」から文字列の終端までをホームページのＵＲＬとして把握し、ステップ１００へ進む。
【００５５】
ステップ９３では、受信した文字列中に「＠」が存在するか否かの判定を行う。存在しないと判定した場合には、受信した文字列はＵＲＬやメールアドレスには無関係なものであるため、何もせずに（ステップ９４）、図９の処理を終了する。「＠」が存在すると判定した場合には、受信した文字列の最初から終端までを、宛先メールアドレスとして把握し、ステップ９７へ進む。
【００５６】
ステップ９５では、図５の設定画面による設定がインターネットの閲覧を行う設定となっているかどうか、すなわちラジオマーク５１の選択がなされているか否かを判定する。インターネットの閲覧を行う設定となってはいないと判定した場合には、ラジオボタン５３が選択され、メールの送信を行う設定となっているので、ステップ９６へ進む。インターネットの閲覧を行う設定となっていると判定した場合には、ステップ９９へ進む。
【００５７】
ステップ９６では、受信した文字列中のコールサインと、図６のテキストボックス５４において設定された「＠」以下の文字列とを連結して宛先メールアドレスを構成し、ステップ９７へ進む。
【００５８】
ステップ９７では、図８の確認画面を表示し、ステップ９３又は９６において把握し又は構成した宛先メールアドレス、たとえば「ＪＡ１ＹＫＸ＠×××．ｃｏｍ」へメールするかどうかの確認を促す。ＯＫボタン８２が押下され、確認が得られた場合には、ステップ９８において、メールソフトを起動してメールメッセージの作成用画面を表示し、その宛先アドレスの欄において、宛先メールアドレスを設定し、図９の処理を終了する。キャンセルボタン８３が押下された場合には、そのまま図９の処理を終了する。
【００５９】
ステップ９９では、図５の設定画面におけるテキストボックス５２において設定されたホームページのＵＲＬ部分の後に、受信した文字列中のコールサインを連結して、ホームページのＵＲＬを構成し、ステップ１００へ進む。
【００６０】
ステップ１００では、図７の確認画面を表示し、ステップ９２又は９９において把握し又は構成したＵＲＬのホームページの閲覧を行うかどうかの確認を促す。ＯＫボタン７２が押下され、閲覧を行うことの確認が得られた場合には、ステップ１０１において、ブラウザを起動し、当該ＵＲＬにアクセスして、ホームページの表示を行い、図９の処理を終了する。キャンセルボタン７３が押下された場合には、そのまま図９の処理を終了する。
【００６１】
本実施形態によれば、操作キー４０の押下に応じ、ステータステキスト３９として設定されている文字列をパソコン１７へ転送するとともに、パソコン１７が、その文字列はＵＲＬであると判定した場合には、ユーザの確認を経たうえで、そのＵＲＬに基づき、ホームページを表示するようにしたため、パソコン１７においてブラウザを起動させ、ステータステキスト３９のＵＲＬを見ながらそれを手入力するといった煩雑な操作を要することなく、操作キー４０を押下するだけで、そのＵＲＬのホームページを表示させることができる。
【００６２】
また、パソコン１７が、転送されてきた文字列はメールアドレスであると判定した場合には、ユーザの確認を経たうえで、そのメールアドレスを宛先欄に設定したメール作成画面を表示するようにしたため、パソコン１７においてメールソフトを起動させ、さらにメール作成画面を表示させ、そしてステータステキスト３９のメールアドレスを見ながらそれを手入力するといった煩雑な操作を要することなく、操作キー４０を押下するだけで、そのメールアドレスを宛先とするメールの作成を開始することができる。
【００６３】
また、操作キー４１の押下に応じ、特殊コマンド及びコールサインをパソコン１７へ転送するとともに、これを受信したパソコン１７が、予め設定されている内容に応じ、コールサインを連結したＵＲＬのホームページを表示し、又はコールサインを連結したメールアドレス宛のメール作成画面を表示するようにしたため、容易に、コールサインに関係するホームページ又はメール作成画面の表示を行うことができる。コールサインに関係するホームページとしては、たとえばそのコールサインに係る無線通信局の位置を確認することができるものを採用し、図５の設定画面におけるテキストボックス５２により設定しておくことができる。具体的には、ＡＰＲＳと連携しているホームページのＵＲＬをテキストボックス５２により設定しておくことにより、当該コールサインの無線通信局の位置をホームページの地図上で表示してもらうことができる。
【００６４】
また、ステータステキスト３９の内容が、ＵＲＬやメールアドレスでない場合であっても、パソコン１７において、図９の処理を行うソフトの代わりに、ターミナルソフトを立ち上げておくことによって、無線通信装置１６から文字列として送信されてくるステータステキスト３９の内容を見たり、メモとして、テキストファイルの形式で保存しておくことができる。その場合、ユーザはステータステキスト３９の内容を、手書きで残しておかなくても、テキストファイルによりいつでも参照することができる。このような機能は、無線通信装置１６が、ステーションリストの内容を保存しておく機能を有していない場合に、特に有効である。
【００６５】
なお、本発明は上述の実施形態に限定されることなく、適宜変形して実施することができる。たとえば、本実施形態では、無線通信装置１６からはシリアルデータを出力し、パソコン１７において、所定のアプリケーションプログラムを用いて、図９の処理を行うようにしているが、同様にして無線通信装置１６からのシリアルデータを解析し、利用する、別のアプリケーションプログラムを作成して採用するよううにしてもよい。
【００６６】
また、本実施形態では、ステータステキスト３９の内容を出力し、パソコン１７において、図９の処理を行うようにしているが、さらに、ステータステキスト３９以外の文字列をも出力し、これに基づき、パソコン１７において無線通信装置１６の画面そのものを表示し、パソコン１７から無線通信装置１６の操作等を行う機能を付加してもよい。
【００６７】
また、本実施形態では、ステータステキスト３９の内容をパソコン１７へ転送し、ホームページの表示やメールソフトの起動を行うようにしているが、これに加えて、図３の詳細画面における別のデータをパソコン１７へ転送し、操作の自動化を図るようにしてもよい。たとえば、緯度及び経度３４をパソコン１７へ転送し、これに基づき、パソコン１７が、地図ソフトを起動させ、緯度及び経度３４を含む地図部分を表示し、緯度及び経度３４で示される地点を明示するようにしてもよい。
【図面の簡単な説明】
【００６８】
【図１】本発明の一実施形態に係るＡＰＲＳ対応無線通信装置の構成を示すブロック図である。
【図２】図１の無線通信装置をパソコンに接続して使用する場合の様子を示す図である。
【図３】図１の装置における詳細画面の一例を示す図である。
【図４】図１の装置における処理を示すフローチャートである。
【図５】図１の装置から特殊コマンドを受信した場合の処理方法を設定するための設定画面を示す図である。
【図６】図５の設定画面についての、図５とは別の設定状態を示す図である。
【図７】図１の装置における確認画面を示す図である。
【図８】図１の装置における別の確認画面を示す図である。
【図９】図２中のパソコンにおける処理の詳細を示すフローチャートである。
【図１０】従来の無線機におけるパケット受信時の処理を示すフローチャートである。
【図１１】図１０の無線機における詳細画面の一例を示す図である。
【符号の説明】
【００６９】
１：ラジオユニット、２：パネルユニット、１１：送受信部、１２：マイコン、１３：ＥＥＰＲＯＭ、１６：無線通信装置、１７：パソコン、１８：ＲＳ−２３２Ｃストレートケーブル、２１：メインマイコン、２２：ＴＮＣマイコン、２３：モデム、２４：ＬＣＤ表示部、２５：操作部、２６：ＥＥＰＲＯＭ、２７：リアルタイムクロック、３１：コールサイン、３２：受信時刻、３３：状況、３４：緯度及び経度、３５：方角を示すアイコン、３６：距離、３７：グリッドスクウェア位置、３８：種類を示すアイコン、３９：ステータステキスト、４０操作キー、４１：操作キー、５１：ラジオマーク、５２：テキストボックス、５３：ラジオマーク、５４：テキストボックス、５５：ＯＫボタン、５６：キャンセルボタン、７１：表示領域、７２：ＯＫボタン、７３：キャンセルボタン、８１：表示領域、８２：ＯＫボタン、８３：キャンセルボタン、１１１：コールサイン、１１２：受信時刻、１１３：無線局の状況、１１４：緯度及び経度、１１５：方角を示すアイコン、１１６：距離、１１７：グリッドスクウェア位置、１１８：種類を示すアイコン、１１９：パケットパス設定領域。
【図１】
2008158807.tif 000003
【図２】
2008158807.tif 000004
【図３】
2008158807.tif 000005
【図４】
2008158807.tif 000006
【図５】
2008158807.tif 000007
【図６】
2008158807.tif 000008
【図７】
2008158807.tif 000009
【図８】
2008158807.tif 000010
【図９】
2008158807.tif 000011
【図１０】
2008158807.tif 000012
【図１１】
2008158807.tif 000013